(57)【要約】【課題】  開方向への揺動が規制されている姿勢の原稿カバーに開方向を向く力が作用しても原稿カバーと筐体との連結部分の破損を防止する画像読み取り装置を提供する。【解決手段】  本発明に係る画像読み取り装置は、原稿カバーと、筐体に固定又は係止される支持部材であって弾性変形可能な突出部を有する支持部材と、支持部材を原稿カバーに揺動可能に連結する連結手段であって、突出部又は原稿カバーのいずれか一方に設けられる係合穴と、他方に設けられ係合穴に係合する係合突起とを有する連結手段と、原稿カバーに設けられる段部であって原稿カバーが開方向に所定角度まで揺動されると突出部に当接する段部と、突出部または段部の少なくともいずれか一方に設けられ、原稿カバーが開方向に所定角度以上揺動されると他方に摺接して突出部を係合穴と係合突起との係合が外れる方向に弾性変形させる斜面と、を有する。【選択図】  図１
2005106942.tif 000002
【特許請求の範囲】
【請求項１】
原稿台に載置された原稿を走査してディジタル画像を作成する画像読み取り装置であって、
筐体と、
前記原稿台を覆うための原稿カバーと、
前記筐体に固定又は係止される支持部材であって弾性変形可能な突出部を有する支持部材と、
前記支持部材を前記原稿カバーに揺動可能に連結する連結手段であって、前記突出部又は前記原稿カバーのいずれか一方に設けられる係合穴と、他方に設けられ前記係合穴に係合する係合突起とを有する連結手段と、
前記原稿カバーに設けられる段部であって前記原稿カバーが開方向に所定角度まで揺動されると前記突出部に当接する段部と、
前記突出部または前記段部の少なくともいずれか一方に設けられ、前記原稿カバーが開方向に所定角度以上揺動されると他方に摺接して前記突出部を前記係合穴と前記係合突起との係合が外れる方向に弾性変形させる斜面と、
を有することを特徴とする画像読み取り装置。
【請求項２】
前記係合突起は、先端側の外周縁が面取りされてテーパー面が形成されていることを特徴とする請求項１に記載の画像読み取り装置。
【請求項３】
前記係合穴は、前記係合突起が挿入される側の縁部が面取りされてテーパー面が形成されていることを特徴とする請求項１又は２に記載の画像読み取り装置。
【請求項４】
前記突出部は、前記係合突起の基端側を向く面にテーパー面が形成されていることを特徴とする請求項１、２又は３に記載の画像読み取り装置。
【発明の詳細な説明】
【技術分野】
【０００１】
本発明は、画像読み取り装置に関する。
【背景技術】
【０００２】
原稿台と、原稿台を覆う姿勢（閉姿勢）と原稿台を開放する姿勢とに揺動可能に連結される原稿カバーとを備える所謂フラットベッド型の画像読み取り装置が知られている。こうした画像読み取り装置では一般に原稿カバーが閉姿勢から開方向に所定角度まで揺動されて概ね立ち姿勢になったときそれ以上の開方向への揺動を規制し、概ね立ち姿勢で定位させている。
【発明の開示】
【発明が解決しようとする課題】
【０００３】
しかしながら、従来の画像読み取り装置によると、原稿カバーが概ね立ち姿勢で定位するためユーザが誤って原稿カバーに開方向の力を加えてしまう可能性がある。原稿カバーが立ち姿勢で定位しているとき、すなわち開方向への揺動が規制されているときに開方向の力を加えると原稿カバーと筐体との連結部分に負担がかかり、それにより連結部分が破損してしまう可能性がある。
【０００４】
本発明は、かかる問題に鑑みて創作されたものであって、開方向への揺動が規制されている姿勢の原稿カバーに開方向を向く力が作用しても原稿カバーと筐体との連結部分の破損を防止する画像読み取り装置を提供することを目的とする。
【課題を解決するための手段】
【０００５】
上記目的を達成するため、本発明に係る画像読み取り装置は、原稿台に載置された原稿を走査してディジタル画像を作成する画像読み取り装置であって、筐体と、前記原稿台を覆うための原稿カバーと、前記筐体に固定又は係止される支持部材であって弾性変形可能な突出部を有する支持部材と、前記支持部材を前記原稿カバーに揺動可能に連結する連結手段であって、前記突出部又は前記原稿カバーのいずれか一方に設けられる係合穴と、他方に設けられ前記係合穴に係合する係合突起とを有する連結手段と、前記原稿カバーに設けられる段部であって前記原稿カバーが開方向に所定角度まで揺動されると前記突出部に当接する段部と、前記突出部または前記段部の少なくともいずれか一方に設けられ、前記原稿カバーが開方向に所定角度以上揺動されると他方に摺接して前記突出部を前記係合穴と前記係合突起との係合が外れる方向に弾性変形させる斜面と、を有することを特徴とする。この画像読み取り装置によると、原稿カバーが開方向に所定角度以上揺動されると突出部が斜面によって弾性変形するため、係合穴と係合突起との係合が外れ、それにより支持部材が原稿カバーから外れる。従って開方向への揺動が規制されている姿勢の原稿カバーに開方向を向く力が作用しても原稿カバーと筐体との連結部分の破損を防止できる。
【０００６】
さらに本発明に係る画像読み取り装置では、前記係合突起は、先端側の外周縁が面取りされてテーパー面が形成されていることを特徴とする。この画像読み取り装置によると、係合突起にテーパー面が形成されているため、所定以上の力が作用したとき支持部材がよりスムーズに外れる。従って連結部分の破損をより確実に防止できる。
【０００７】
さらに本発明に係る画像読み取り装置では、前記係合穴は、前記係合突起が挿入される側の縁部が面取りされてテーパー面が形成されていることを特徴とする。この画像読み取り装置によると、係合穴にテーパー面が形成されているため、所定以上の力が作用したとき支持部材がよりスムーズに外れる。従って連結部分の破損をより確実に防止できる。
【０００８】
さらに本発明に係る画像読み取り装置では、前記突出部は、前記係合突起の基端側を向く面にテーパー面が形成されていることを特徴とする。突出部にテーパー面を設けると、支持部材を原稿カバーに連結させることが容易になる。
【発明を実施するための最良の形態】
【０００９】
以下、本発明を実施するための最良の形態を実施例に基づいて説明する。本実施例ではプリンタとスキャナとが一体化された所謂複合機を例に説明する。
図２は、本発明の一実施例に係る画像読み取り装置としての複合機１を示す模式図である。複合機１の筐体１２は画像を読み取るスキャナ部２を収容するスキャナユニット１２ａと画像を印刷するプリンタ部３を収容するプリンタユニット１２ｂとで構成されており、スキャナユニット１２ａはプリンタユニット１２ｂに図示しないヒンジにより揺動自在に連結されている。
【００１０】
原稿カバー６０は、支持部材７０により原稿台６１の盤面を開放する姿勢から原稿台６１の盤面を覆う姿勢に揺動可能にスキャナユニット１２ａに連結されている。原稿カバー６０は原稿台６１の盤面に載置された原稿Ｍを押さえるとともに、光源３３（図３参照）の放射光以外の光が原稿を照らすことがないよう原稿台６１を覆うものである。
【００１１】
図３は複合機１の構成を示す模式図であり、図４は複合機１を示すブロック図である。
スキャナ部２は、リニアイメージセンサ３０、縮小光学系３２、第一主走査駆動部３６（図４参照）、第一副走査駆動部３７（図４参照）、ＡＦＥ（Analog Front End）部４１（図４参照）及びディジタル画像処理部４２（図４参照）などを備え、スキャナユニット１２ａに収容されている。
【００１２】
リニアイメージセンサ３０は、ＲＧＢ各色の受光素子が図３において紙面垂直方向に直線状に並ぶ姿勢でキャリッジ３１に搭載されている。リニアイメージセンサ３０は、縮小光学系３２により入力される走査線上の光学像を走査し、その光学像の濃淡に相関する電気信号を出力する。
縮小光学系３２は、光源３３、ミラー３４及びレンズ３５などで構成され、キャリッジ３１に搭載されている。光源３３は蛍光管ランプ等の管照明装置から構成されており、ミラー３４及びレンズ３５は光源３３に照射された原稿Ｍの走査線上の反射光像をリニアイメージセンサ３０に結像させる。これにより原稿Ｍの主走査線上の光学像をリニアイメージセンサ３０に入力する。尚、光源の位置を変えることにより透過原稿を読み取るようにしてもよい。
【００１３】
第一主走査駆動部３６は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７は、走査線の長手方向軸に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１４】
ＡＦＥ部４１は、アナログ信号処理部、Ａ／Ｄ変換器等から構成される。アナログ信号処理部はリニアイメージセンサ３０から出力された電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００１５】
ディジタル画像処理部４２は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００１６】
プリンタ部３は、記録ヘッド４３、ヘッド駆動部４８（図４参照）、第二主走査駆動部４９（図４参照）及び第二副走査駆動部５４（図４参照）などを備え、プリンタユニット１２ｂに収容されている。尚、本実施例ではインクジェット方式により印刷を行う場合を例に説明するが、レーザー方式やドットインパクト方式などで印刷を行うものであってもよい。
【００１７】
記録ヘッド４３はキャリッジ４４に設けられ、インクを吐出するノズル４５、ピエゾ素子４６、インク通路４７、図示しないインクカートリッジなどを備える。ピエゾ素子４６はインクを導くインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。これにより記録ヘッド４３は印刷媒体に画像を印刷する。
【００１８】
ヘッド駆動部４８は、制御部５６から出力された印刷信号に基づいて駆動電圧をピエゾ素子４６に印加する回路である。
第二主走査駆動部４９は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１（主走査方向軸）の軸方向（主走査方向Ｘ）に往復移動する。
【００１９】
第二副走査駆動部５４は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図３において紙面に垂直な方向（副走査方向）に印刷用紙が移動する。
【００２０】
制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８はＣＰＵ５７に各部を制御する処理を実行させるプログラム、各種のデータなどを記憶しているメモリであり、ＲＡＭ５９はプログラム、各種のデータなどを一時的に記憶するメモリである。制御部５６はスキャナ部２としてもプリンタ部３としても機能する。
【００２１】
図５（Ａ）は支持部材７０の側面図であり、図５（Ｂ）は支持部材７０の斜視図である。支持部材７０は、スキャナユニット１２ａに係止される本体７１、突出部としてのアーム部７２ａ、突出部としてのアーム部７２ｂ、係合穴７３ａ、係合穴７３ｂ、及び張り出し部７４を有する。以降の説明においてアーム部７２というときはアーム部７２ａ及びアーム部７２ｂの両方を指すものとする。係合穴についても同様である。本体７１は略板状に形成され、スキャナユニット１２ａに設けられている係止穴に嵌挿されることによってスキャナユニット１２ａに係止される。詳しくは後述する。尚、螺設などによって本体７１をスキャナユニット１２ａに固定するようにしてもよい。アーム部７２ａ及びアーム部７２ｂは本体７１から同じ向きに延びている。アーム部７２は弾性変形可能であり、支持部材７０は原稿カバー６０から所定以上の力が作用するとアーム部７２が弾性変形して原稿カバー６０から外れる。詳しくは後述する。アーム部７２は支持部材７０が原稿カバー６０に取り付けられたとき原稿カバー６０にとって閉方向となる方向に盛り上がった支点部７５を有している。支点部７５は図示するように係合穴７３よりもアーム部７２の基端側に設けられている。張り出し部７４はアーム部７２ａとアーム部７２ｂとの間に設けられており、張り出し部７４とアーム部７２との間にはアーム部７２を弾性変形させるために必要な空間が確保されている。張り出し部７４はアーム部７２が過剰に弾性変形したときアーム部７２に当接し、それ以上の弾性変形を規制してアーム部７２の破損を防止する。係合穴７３ａはアーム部７２ａの先端側に形成されており、係合穴７３ｂはアーム部７２ｂの先端側に形成されている。また、アーム部７２は、他方のアーム部７２側とは逆側を向く面７７の先端側の縁部が面取りされてテーパー面７６が形成されている。ここで面７７は支持部材７０が原稿カバー６０に連結されたとき後述する係合突起８１の基端側を向く面である。テーパー面７６を設けると係合穴７３を後述する係合突起８１に係合させるときにアーム部７２が係合突起８１に乗り上がり易くなり、支持部材７０を原稿カバー６０に連結することが容易になる。
【００２２】
図６は、原稿カバー６０の背面を示す斜視図である。図７（Ａ）は図６に示す連結部８０の一方を拡大して示す斜視図であり、図７（Ｂ）は図７（Ａ）に示す連結部８０を別角度から示す斜視図である。図６に示すように原稿カバー６０には連結部８０が２つ設けられている。図７（Ａ）及び図７（Ｂ）に示すように連結部８０は支持部材７０の互いに異なる係合穴７３に係合して支持部材７０を原稿カバー６０に揺動可能に連結する２つの係合突起８１を有している。係合突起８１は先端側の外周縁が面取りされてテーパー面が形成されている。具体的には係合突起８１は略円柱状に形成されており、他方の係合突起８１側を向く面と外周面とで形成される角部が面取りされてテーパー面８２が形成されている。
【００２３】
図８（Ａ）は２つの支持部材７０が連結されている原稿カバー６０の背面を示す斜視図であり、図８（Ｂ）は原稿カバー６０をスキャナユニット１２ａに取り付ける様子を示す斜視図である。図８（Ｂ）に示すように原稿カバー６０は２つの支持部材７０をスキャナユニット１２ａに設けられている２つの係止穴９１にそれぞれ嵌挿することによってスキャナユニット１２ａに係止される。
【００２４】
図９（Ａ）は閉じた状態の原稿カバー６０を示す斜視図であり、図９（Ｂ）は開いた状態の原稿カバー６０を示す斜視図である。スキャナユニット１２ａが支持部材７０を係止すると、図示するように原稿カバー６０がスキャナユニット１２ａに対して揺動可能になる。
図１（Ａ）及び図１（Ｂ）は原稿カバー６０の連結部８０の周辺を拡大して示す斜視図である。図１（Ａ）に示すように原稿カバー６０には２つの段部８３が設けられており、２つの段部８３にはそれぞれ斜面８４が形成されている。図示するように２つの斜面８４は他方の段部８３に設けられている斜面８４とは傾き方が逆になるよう形成されている。斜面８４はアーム部７２を係合穴７３と係合突起８１との係合が外れる方向に弾性変形させるために設けられている。原稿カバー６０を開方向に所定角度まで揺動すると図１（Ｂ）に示すように２つの斜面８４はそれぞれ支点部７５に当接する。
【００２５】
次に、支持部材７０が原稿カバー６０から外れる作動について説明する。
図１０（Ａ）及び図１０（Ｂ）は、支持部材７０が原稿カバー６０から外れる作動を示す模式図である。図中の方向Ｘはアーム部７２ｂについて係合穴７３と係合突起８１との係合が外れる方向を示しており、方向Ｙはアーム部７２ａについて係合穴７３と係合突起８１との係合が外れる方向を示している。原稿カバー６０に対して開方向に所定以上の力が作用するとその力によって原稿カバー６０は開方向に所定角度以上揺動し、それにより斜面８４がＺ方向に移動して支点部７５を押圧する。斜面８４が支点部７５を押圧する力の一部はアーム部７２ｂをＸ方向に弾性変形させる力として作用する。アーム部７２の先端に形成されている係合穴７３は、アーム部７２の先端がＸ方向に係合突起８１の軸方向の幅以上に弾性変形したとき図１０（Ｂ）に示すように係合突起８１から外れる。アーム部７２ａについても同様である。この結果、支持部材７０が原稿カバー６０から外れる。前述したように係合突起８１にテーパー面８２を形成するとアーム部７２を弾性変形させたとき係合穴７３が係合突起８１からよりスムーズに外れるようになり、従って支持部材７０または原稿カバー６０の破損をより確実に防止できる。
【００２６】
以上説明した本発明の一実施例に係る複合機１によると、原稿カバー６０が開方向に所定角度以上揺動されるとアーム部７２が斜面８４によって弾性変形するため、係合穴７３と係合突起８１との係合が外れる。これにより支持部材７０が原稿カバー６０から外れるため、原稿カバー６０に開方向に所定以上の力が作用しても原稿カバー６０とスキャナユニット１２ａとの連結部分が破損することを防止できる。
【００２７】
尚、本実施例ではアーム部７２に係合穴７３を設け、原稿カバー６０に係合突起８１を設ける場合を例に説明したが、アーム部７２に係合突起８１を設け、原稿カバー６０に係合穴７３を設けるようにしてもよい。
また、本実施例では係合突起８１にテーパー面８２を形成する場合を例に説明したが、係合穴７３にテーパー面を形成するようにしてもよい。具体的には、係合突起８１が挿入される側の縁部を面取りしてテーパー面を形成してもよい。
【００２８】
また、本実施例では原稿カバー６０に設けられた段部８３に斜面８４を設ける場合を例に説明したが、アーム部７２に斜面を設けてもよい。具体的には例えば支点部７５に斜面を形成し、原稿カバー６０の段部８３には斜面８４を設けないようにしてもよい。また、段部８３と支点部７５との両方に斜面を備えるようにしてもよい。
また、本実施例では複合機を例に説明したが、イメージスキャナ等の画像読み取り装置に本発明を適用してもよい。
【図面の簡単な説明】
【００２９】
【図１】（Ａ）及び（Ｂ）は本発明の一実施例に係る原稿カバーと支持部材とを示す斜視図。
【図２】本発明の一実施例に係る画像読み取り装置の模式図。
【図３】本発明の一実施例に係る画像読み取り装置の模式図。
【図４】本発明の一実施例に係る画像読み取り装置のブロック図。
【図５】（Ａ）は本発明の一実施例に係る支持部材の側面図、（Ｂ）は斜視図。
【図６】本発明の一実施例に係る原稿カバーの背面の斜視図。
【図７】（Ａ）及び（Ｂ）は本発明の一実施例に係る係合突起の斜視図。
【図８】（Ａ）は本発明の一実施例に係る原稿カバーの斜視図、（Ｂ）は原稿カバーの取り付けを示す斜視図。
【図９】（Ａ）及び（Ｂ）は本発明の一実施例に係る原稿カバーの斜視図。
【図１０】（Ａ）及び（Ｂ）は本発明の一実施例に係る支持部材の作動を示す模式図。
【符号の説明】
【００３０】
１  複合機（画像読み取り装置）、１２  筐体、６０  原稿カバー、６１  原稿台、７０  支持部材、７２  アーム部（突出部）、７３  係合穴（連結手段）、７６  テーパー面、８１  係合突起（連結手段）、８２  テーパー面、８３  段部、８４  斜面
【図１】
2005106942.tif 000003
【図２】
2005106942.tif 000004
【図３】
2005106942.tif 000005
【図４】
2005106942.tif 000006
【図５】
2005106942.tif 000007
【図６】
2005106942.tif 000008
【図７】
2005106942.tif 000009
【図８】
2005106942.tif 000010
【図９】
2005106942.tif 000011
【図１０】
2005106942.tif 000012